(57)【要約】【課題】  油温度計に装着し、窒素ガス圧と油温度とから油温度対窒素ガス圧特性が管理限界内であるか否かを判断できる油入変圧器管理プレートを提供することを目的とするものである。【解決手段】  油入変圧器における油温度対窒素ガス圧の関係から異常の有無を保守管理するための油入変圧器管理プレート５であって、油温度計３の外周縁部に設けられ、油入変圧器の絶縁油の温度を計測する油温度計３の指針が指し示す油温度に対して、油入変圧器の窒素ガス圧を計測する圧力計の圧力値が管理限界内であるか否かを判定する窒素ガス圧目盛を設けたものである。【選択図】    図１
0003105135.tif 000002
【実用新案登録請求の範囲】
【請求項１】
油入変圧器における油温度対窒素ガス圧の関係から異常の有無を保守管理するための油入変圧器管理プレートであって、該油入変圧器管理プレートは、前記油入変圧器の絶縁油の油温度を計測する油温度計の外周縁部に設けられ、該油入変圧器管理プレートに該油温度計の指針が指し示す油温度に対して該油入変圧器に封入された窒素ガスのガス圧値が管理限界内であるか否かを判定する窒素ガス圧目盛を設けたことを特徴とする油入変圧器管理プレート。
【請求項２】
前記窒素ガス圧目盛は、前記油温度計の外周に指針軸を中心とした同心円状の円環状プレートに形成され、該円環状プレートの幅方向中心に窒素ガス圧値を示す中央目盛線を設け、該中央目盛線を横切るように窒素ガス圧値の等圧線である曲線状目盛線を設けたことを特徴とする請求項１に記載の油入変圧器管理プレート。
【請求項３】
油入変圧器における油温度対窒素ガス圧の関係から異常の有無を保守管理するための油入変圧器管理プレートであって、該油入変圧器管理プレートは円環状プレートであり、該円環状プレートに、該油入変圧器の絶縁油の油温度と該油入変圧器に封入された窒素ガスのガス圧値とによって、該油温度に対する該ガス圧値が管理限界内にあるか否かを判定する油温度目盛と窒素ガス圧目盛とが設けられたことを特徴とする油入変圧器管理プレート。
【請求項４】
前記窒素ガス圧目盛は、前記円環状プレートの幅方向の中心に窒素ガス圧値を付与した中央目盛線を設け、該中央目盛線を横切るように前記油温度目盛を等温線である曲線状目盛線を設け、該曲線状目盛線の該円環状プレートの内円辺近傍から外円辺近傍までの範囲を油温度対窒素ガス圧の許容範囲とすることを特徴とする請求項３に記載の油入変圧器管理プレート。
【請求項５】
油入変圧器における油温度対窒素ガス圧との関係から異常の有無を保守管理するための油入変圧器管理プレートであって、該油入変圧器管理プレートは、前記油入変圧器の窒素ガス圧を計測する窒素ガス圧計の外周縁部に設けられ、該油入変圧器管理プレートに該窒素ガス圧計の指針が指し示す窒素ガス圧値が、該油入変圧器の絶縁油の温度に対して管理限界内であるか否かを判定する油温度目盛を設けたことを特徴とする油入変圧器管理プレート。
【請求項６】
前記窒素ガス圧目盛は、前記窒素ガス圧計の外周に指針軸を中心とした同心円状の円環状プレートに形成され、該円環状プレートの幅方向中心を油温度対窒素ガス圧の中央値を示す中央線が設けられ、該中央線を横切るように等温線による油温度目盛を示す曲線状目盛線が設けられ、該曲線状目盛線が、該円環状プレートの内円辺近傍から外円辺近傍までの範囲を油温度対窒素ガス圧の管理限界を示すことを特徴とする請求項５に記載の油入変圧器管理プレート。
【請求項７】
前記曲線状目盛線が色分け、又は該曲線状目盛線間が色分けされていることを特徴とする請求項２，４又は６に記載の油入変圧器管理プレート。
【考案の詳細な説明】
【技術分野】
【０００１】
本考案は、油入変圧器の絶縁油の油温度と窒素ガス圧との特性曲線による監視を簡便なものとし、絶縁油の劣化を防止したり、絶縁油の漏れ等による故障を未然に防止することができる油入変圧器管理プレートに関するものである。
【背景技術】
【０００２】
周知のように油入変圧器では、一次巻線に加えられた電力の一部が内部損失となり熱に変換され、この熱を外部に放散して絶縁油の温度上昇による絶縁油の劣化を防止するようにしている。絶縁油は外気温の変化と負荷の増減によって膨張・収縮を生じ、外気が油入変圧器内に侵入して絶縁油の酸化するのを窒素ガス封入により防止している。絶縁油の劣化は、油入変圧器自体の寿命に影響を与える。
【０００３】
このようなことから油入変圧器の保守点検では、絶縁油の湯温度と窒素ガス圧の監視が重要な項目であり、油温度と窒素ガス圧との特性曲線を利用して監視が行われている。図５は、従来用いられていた油温度−窒素ガス圧特性曲線図を示しており、同図中のＣＬは中央値指示線であり、ＵＣＬが上部管理限界線、ＬＵＬが下部管理限界線を示し、Ａが管理限界内の範囲（許容範囲）を示している。油入変圧器の保守点検では、油温度計により油温度を確認し、その時の窒素ガス圧計の目盛を読み、図５の油温度−窒素ガス圧特性曲線図を基に管理限界内であるか否かを判断していた。
【考案の開示】
【考案が解決しようとする課題】
【０００４】
従来、油入変圧器の保守点検では、上述のように、図５の油温度−窒素ガス圧特性曲線図の横軸（油温度）と縦軸（窒素ガス圧）の目盛から交差する点が管理限界内であるか否かを読んで異常の有無を判断していたが、保守管理業務では、点検時間を短縮し、読み誤りを減らす上で、このような特性曲線図を用いることなく、油入変圧器の窒素ガス圧計のガス圧値と油温度計の油温度から容易にガス圧に対する油温度が管理限界内であるのか否かが判定できるものが望まれていた。
【０００５】
本考案は、上記のような課題に鑑みなされたものであって、油温度計に装着し、窒素ガス圧と油温度とから油温度対窒素ガス圧特性が管理限界内であるか否かを判断できる油入変圧器管理プレートを提供することを目的とするものである。
【課題を解決するための手段】
【０００６】
本考案は、上記課題を達成したものであって、請求項１の考案は、油入変圧器における油温度対窒素ガス圧の関係から異常の有無を保守管理するための油入変圧器管理プレートであって、該油入変圧器管理プレートは、前記油入変圧器の絶縁油の油温度を計測する油温度計の外周縁部に設けられ、該油入変圧器管理プレートに該油温度計の指針が指し示す油温度に対して該油入変圧器に封入された窒素ガスのガス圧値が管理限界内であるか否かを判定する窒素ガス圧目盛を設けたことを特徴とする油入変圧器管理プレートである。
【０００７】
また、請求項２の考案は、前記窒素ガス圧目盛は、前記油温度計の外周に指針軸を中心とした同心円状の円環状プレートに形成され、該円環状プレートの幅方向中心に窒素ガス圧値を示す中央目盛線を設け、該中央目盛線を横切るように窒素ガス圧値の等圧線である曲線状目盛線を設けたことを特徴とする請求項１に記載の油入変圧器管理プレートである。
【０００８】
また、請求項３の考案は、油入変圧器における油温度対窒素ガス圧の関係から異常の有無を保守管理するための油入変圧器管理プレートであって、該油入変圧器管理プレートは円環状プレートであり、該円環状プレートに、該油入変圧器の絶縁油の油温度と該油入変圧器に封入された窒素ガスのガス圧値とによって、該油温度に対する該ガス圧値が管理限界内にあるか否かを判定する油温度目盛と窒素ガス圧目盛とが設けられたことを特徴とする油入変圧器管理プレートである。
【０００９】
また、請求項４の考案は、前記窒素ガス圧目盛は、前記円環状プレートの幅方向の中心に窒素ガス圧値を付与した中央目盛線を設け、該中央目盛線を横切るように前記油温度目盛を等温線である曲線状目盛線を設け、該曲線状目盛線の該円環状プレートの内円辺近傍から外円辺近傍までの範囲を油温度対窒素ガス圧の許容範囲とすることを特徴とする請求項３に記載の油入変圧器管理プレートである。
【００１０】
また、請求項５の考案は、油入変圧器における油温度対窒素ガス圧との関係から異常の有無を保守管理するための油入変圧器管理プレートであって、該油入変圧器管理プレートは、前記油入変圧器の窒素ガス圧を計測する窒素ガス圧計の外周縁部に設けられ、該油入変圧器管理プレートに該窒素ガス圧計の指針が指し示す窒素ガス圧値が、該油入変圧器の絶縁油の温度に対して管理限界内であるか否かを判定する油温度目盛を設けたことを特徴とする油入変圧器管理プレートである。
【００１１】
また、請求項６の考案は、前記窒素ガス圧目盛が前記窒素ガス圧計の外周に指針軸を中心とした同心円状の円環状プレートに形成され、該円環状プレートの幅方向中心を油温度対窒素ガス圧の中央値を示す中央線が設けられ、該中央線を横切るように等温線による油温度目盛を示す曲線状目盛線が設けられ、該曲線状目盛線が、該円環状プレートの内円辺近傍から外円辺近傍までの範囲を油温度対窒素ガス圧の管理限界を示すことを特徴とする請求項５に記載の油入変圧器管理プレートである。
【００１２】
また、請求項７の考案は、前記曲線状目盛線が色分け、又は該曲線状目盛線間が色分けされていることを特徴とする請求項２，４又は６に記載の油入変圧器管理プレートである。
【考案の効果】
【００１３】
請求項１の考案では、油入変圧器における油温度対窒素ガス圧の関係から異常の有無を保守管理するための油入変圧器管理プレートであって、該油入変圧器管理プレートは、前記油入変圧器の絶縁油の油温度を計測する油温度計の外周縁部に設けられ、該油入変圧器管理プレートに該油温度計の指針が指し示す油温度に対して該油入変圧器に封入された窒素ガスのガス圧値が管理限界内であるか否かを判定する窒素ガス圧目盛を設けたことを特徴とする油入変圧器管理プレートであるので、窒素ガス圧計の指示値を読み、油温度計の指針が指し示している指示値の窒素ガス圧目盛を読むことによって、油温度に対する窒素ガス圧が管理限界内であるか否かを容易に判定することができる利点がある。また、油入変圧器管理プレートは油温度計のケース外周縁部に装着されており、油温度の指示値から時間を要することなく、窒素ガス圧が管理限界内（許容範囲内）であるか否かを極めて簡便に判定できる利点がある。
【００１４】
また、請求項２の考案では、前記窒素ガス圧目盛が、前記油温度計の外周に指針軸を中心とした同心円状の円環状プレートに形成され、該円環状プレートの幅方向中心に窒素ガス圧値を示す中央目盛線を設け、該中央目盛線を横切るように窒素ガス圧値の等圧線である曲線状目盛線を設けたことを特徴とする請求項１に記載の油入変圧器管理プレートであるので、油温度計に装着された油入変圧器管理プレートの等圧線による曲線状目盛線が設けられており、窒素ガス圧のガス圧力値を曲線状目盛線に沿って辿ることにより、油温度における窒素ガス圧値が管理限界内（許容範囲内）であるのか否かを簡単に読むことが可能であり、油温度に対する窒素ガス圧の管理が容易となる利点がある。
【００１５】
また、請求項３の考案では、油入変圧器における油温度対窒素ガス圧の関係から異常の有無を保守管理するための油入変圧器管理プレートであって、該油入変圧器管理プレートは円環状プレートであり、該円環状プレートに、該油入変圧器の絶縁油の油温度と該油入変圧器に封入された窒素ガスのガス圧値とによって、該油温度に対する該ガス圧値が管理限界内にあるか否かを判定する油温度目盛と窒素ガス圧目盛とが設けられたことを特徴とする油入変圧器管理プレートであるので、油入変圧器管理プレートに設けられた油温度目盛と窒素ガス圧力値とから指示油温度が管理限界内（許容範囲内）であるのか否かを読むことが可能であり、油温度に対する窒素ガス圧の管理が容易となる利点がある。
【００１６】
また、請求項４の考案では、前記窒素ガス圧目盛は、前記円環状プレートの幅方向の中心に窒素ガス圧値を付与した中央目盛線を設け、該中央目盛線を横切るように前記油温度目盛を等温線である曲線状目盛線で示し、該曲線状目盛線の該円環状プレートの内円辺近傍から外円辺近傍までの範囲を油温度対窒素ガス圧の許容範囲とすることを特徴とする請求項１に記載の油入変圧器管理プレートであるので、油温度目盛が等温線による曲線状目盛線であり、この曲線状目盛線と窒素ガス圧力値とから指示油温度が管理限界内（許容範囲内）であるのか否かを簡単に読むことが可能であり、油温度に対する窒素ガス圧の管理が容易となる利点がある。
【００１７】
また、請求項５の考案では、油入変圧器における油温度対窒素ガス圧との関係から異常の有無を保守管理するための油入変圧器管理プレートであって、該油入変圧器管理プレートは、前記油入変圧器の窒素ガス圧を計測する窒素ガス圧計の外周縁部に設けられ、該油入変圧器管理プレートに該窒素ガス圧計の指針が指し示す窒素ガス圧が、該油入変圧器の絶縁油の温度に対して管理限界内であるか否かを判定する油温度目盛を設けたことを特徴とする油入変圧器管理プレートであるので、油温度計の指示値を読み、窒素ガス圧計の指針が指し示している指示値と油温度とから窒素ガス圧に対する油温度が管理限界内であるか否かを容易に判定することができる利点があり、また、油入変圧器管理プレートはその中央部の開口部を利用して窒素ガス圧計の外周縁部に装着することができ、窒素ガス圧値から時間を要することなく、窒素ガス圧対油温度の関係から窒素ガス圧又は油温度が管理限界内（許容範囲内）であるか否かを極めて簡便に判定できる利点がある。
【００１８】
また、請求項６の考案では、前記窒素ガス圧目盛が前記窒素ガス圧計の外周に指針軸を中心とした同心円状の円環状プレートに形成され、該円環状プレートの幅方向中心を油温度対窒素ガス圧の中央値を示す中央線が設けられ、該中央線を横切るように等温線による油温度目盛を示す曲線状目盛線が設けられ、該曲線状目盛線が、該円環状プレートの内円辺近傍から外円辺近傍までの範囲を油温度対窒素ガス圧の管理限界を示すことを特徴とする請求項４に記載の油入変圧器管理プレートであるので、等温線による油温度目盛の曲線状目盛線が窒素ガス圧の許容範囲を示しており、窒素ガス圧の指示値の延長線と油温度とが交差する点が管理限界内（許容範囲内）であるか否かが直ちに判定でき、極めて簡便な保守管理プレートとして利用できる。
【００１９】
また、請求項７の考案では、前記曲線状目盛線が色分け、又は該曲線状目盛線間が色分けされていることを特徴とする請求項２，４又は６に記載の油入変圧器管理プレートであるので、色分けに沿って曲線状目盛線を辿れば容易に窒素ガス圧値又は油温度の値を読むことができる利点がある。
【考案を実施するための最良の形態】
【００２０】
以下、本考案に係る油入変圧器管理プレートの実施の形態について、図面を参照して説明する。なお、図１は本考案の一実施形態を油温度計に装着した例を示す平面図であり、図２は本実施形態を油入変圧器の油温度計に装着した例を示し、図３は本考案の他の実施形態を示す平面図である。図４は本考案の油入変圧器管理プレートを窒素ガス圧計に装着する他の実施形態を示す平面図である。図５は油温度対窒素ガス圧特性曲線図である。
【００２１】
（実施形態１）
図１において、３は油入変圧器に設けられた油温度計を示し、３ａが油温度計３の０〜１２０℃を記した目盛板であり、３ｂが指針であり、５は本実施形態の油入変圧器管理プレートを示している。図２に示すように、油入変圧器１には油入変圧器本体２に絶縁油の温度を指示する油温度計３と油入変圧器本体２内に封入された窒素ガスのガス圧を指示する圧力計４とが設けられ、油入変圧器本体２の上部には絶縁油が入ったコンサベータ７が設けられている。油入変圧器管理プレート５は、油温度計３の指針３ｂが指し示す指示値から油温度対窒素ガス圧が管理限界内（許容範囲内）であるか否かを判定するものである。
【００２２】
油入変圧器管理プレート５は、油温度計３の指針軸３ｃを中心とした略同心円状の円環状プレート５ａであり、円環状プレート５ａには円環状目盛部５ｂが設けられている。円環状目盛部５ｂには、指針軸３ｃの軸中心を通過する延長線上に、目盛板３ａの０〜１２０℃の２℃刻みの目盛に対応した放射状目盛線５０〜５６０が設けられ、放射状目盛線５１〜５５９を横切るように、複数本の等圧線である曲線状目盛線６１〜６１３による窒素ガス圧目盛６が設けられている。放射状目盛線５１〜５６０は中央目盛線５ＣＬを基準にして付されている。中央目盛線５ＣＬは、図５の上部管理限界線ＵＣＬと下部管理限界線ＬＵＬとの中央値ＣＬに相当し、円環状目盛部５ｂの幅方向中間に付され、概ね油温度計１の指針軸３ｃの軸中心として円を描いている。
【００２３】
中央目盛線５ＣＬには、３，２，１（ｃｍＨｇ）、０，０．０５，０．１，０．１５，０．２，０．２５，０．３，０．３５，０．４，０．４５（ｋｇ／ｃｍ２）の目盛が付与されている。曲線状目盛線６１は４ｃｍＨｇを示す目盛線であり、以下、曲線状目盛線６２は２ｃｍＨｇ、６３は０ｋｇ／ｃｍ２、６４は０．０５ｋｇ／ｃｍ２、６５は０．１ｋｇ／ｃｍ２、６６は０．１５ｋｇ／ｃｍ２、６７は０．２ｋｇ／ｃｍ２、６８は０．２５ｋｇ／ｃｍ２、６９は０．３ｋｇ／ｃｍ２、６１０は０．３５ｋｇ／ｃｍ２、６１１は０．４ｋｇ／ｃｍ２、６１２は０．４５ｋｇ／ｃｍ２、６１３は０．５ｋｇ／ｃｍ２の各窒素ガス圧の目盛線を示し、各目盛線は中央目盛線５ＣＬを通過するように付されている。
【００２４】
なお、油入変圧器管理プレート５は、その円形開口部５ｃを油温度計３のケース外形寸法より僅かに大きく開口した円形開口部５ｃに油温度計３の外周縁部を装入して装着する。また、油入変圧器管理プレート５に油温度計３の目盛板３ａより僅かに小さい円形開口部５ｃを形成し、油入変圧器管理プレート５を油温度計３のケース表面に接着固定してもよい。
【００２５】
本実施形態における油入変圧器管理プレート５は、油温度計３の目盛に合わせて装着され、図１に示したように油温度計３の指針３ｂが４０℃を指し示し、窒素ガス圧が０．０８ｋｇ／ｃｍ２であれば、油温度と窒素ガス圧との交点が概ね図５のＰ１に当たり、管理限界（許容範囲）内であることが判る。油温度が４０℃の場合、曲線状目盛線６６の延長線を考慮すると、上限は０．１５ｋｇ／ｃｍ２であり、下限は、油温度が４０℃における２ｃｍＨｇの目盛線の曲線状目盛線６２と０ｃｍＨｇの目盛線の曲線状目盛線６３との中間の値である０．１ｃｍＨｇであり、窒素ガス圧値が油入変圧器保守管理プレート５の幅内に収まれば、概ね管理限界（許容範囲）内であると判断される。また、油温度が４０℃であり、窒素ガス圧値が０．００３ｋｇ／ｃｍ２であれば、この窒素ガス圧値はＰ２点であり、Ｐ２点から点線で示したように、曲線状目盛線６３，６４ に沿って辿り、放射状目盛線５２０に交わる交点が、窒素ガス圧値の許容範囲Ａ内であることが判る。
【００２６】
このような方法によって、各油温度における窒素ガス圧値が正常な範囲であるか否かを判定することができる。例えば、窒素ガス圧値が上部理限界を超える場合、窒素ガスの放出し、下部理限界を下回る場合、窒素ガスを充填し、窒素ガス圧値が管理限界内に収まるように維持管理する。なお、図１の油入変圧器保守管理プレート５は、本考案を説明するための概略図であり正確な窒素ガス圧値を示していない箇所もある。
【００２７】
また、本実施形態において、曲線状目盛線６１〜６１３を色分けして表示することによって、一層窒素ガス圧値がより容易に読むことができるし、油入変圧器管理プレート５の外周の色分部１０により油温度の値が許容範囲であるか否かを示すことができる。また、後述する図３の実施形態のように、曲線状目盛線間を色分けして読み易くしてもよい。なお、図３では色分け部分を斜線部で示し、斜線部は同色で色分けしてもよい。
【００２８】
（実施形態２）
図３は、本考案の他の実施形態を示している。同図を参照して説明すると、油入変圧器管理プレート８のみを示し、油温度計３は指針のみを矢印で省略した。油入変圧器管理プレート８は、油温度計３の指針を中心とした略同心円状の円環状プレート８ａであり、円環状プレート８ａには、油温度計３の０〜１２０℃の目盛板に対応した２℃刻みの目盛部８ｂが設けられ、目盛部８ｂは、１０℃刻みの太い線と２℃刻みの細線で０〜１２０℃に対応する放射状目盛線が設けられ、円環状プレート８ａの幅中央には窒素ガス圧値を記す中央目盛線８ＣＬが設けられている。中央目盛線８ＣＬには、３，２，１（ｍＨｇ）、０，０．０５，０．１，０．１５，０．２，０．２５，０．３，０．３５，０．４（ｋｇ／ｃｍ２）が付与されている。
【００２９】
円環状プレート８ａには、中央目盛線８ＣＬを横切るように等温線である曲線状油温度目盛線３１〜３１３が設けられている。例えば、曲線状油温度目盛線３１は油温度０℃を示し、目盛線３２は１０℃、目盛線３３は２０℃、目盛線３４は３０℃、…、目盛線３１１は１１０℃を示し、それ以上の油温度であれば異常と判断される。円環状プレート８ａには、その内輪側８Ｉに３０℃〜１２０℃の目盛が刻まれ、外輪側８Ｏに１０℃〜６０℃の目盛が刻まれており、例えば、曲線状油温度目盛線３５では、内輪側８Ｉと外輪側８Ｏに表示された油温度４０℃の範囲が管理限界内（許容範囲内）Ａを示し、同様に、曲線状油温度目盛線３６では内輪側８Ｉと外輪側８Ｏに表示された油温度５０℃の目盛の範囲が管理限界内（許容範囲）Ａであることを示している。
【００３０】
本実施形態の油入変圧器管理プレート８は、図３に示したように、油温度が４０℃であり、窒素ガス圧が０．０３ｋｇ／ｃｍ２であれば、中央目盛線８ＣＬのＰ３で示した０．０３ｋｇ／ｃｍ２の値と油温度計３の軸中心とを通過する線と４０℃の曲線状油温度目盛線３５との交点が、曲線状油温度目盛線３５で示す４０℃の許容範囲Ａ内であれば、油温度対窒素ガス圧特性には異常がないと判断することができる。窒素ガス圧値がこの許容範囲Ａを超える場合、油入変圧器に異常が発生しているものと判断することができ、このような場合、油入変圧器の保守点検が実施される。
【００３１】
（実施形態３）
図４は、本考案の他の実施形態を示している。同図を参照して説明すると、油入変圧器管理プレート９は、窒素ガス圧計４の外周縁部に装着されて使用され、窒素ガス圧計４の指針軸中心に同心円状の環状プレート９ａである。環状プレート９ａには、幅方向中心には、油温度対窒素ガス圧の中央値を示す中央目盛線９ＣＬが設けられ、中央線９ＣＬを横切るように、窒素ガス圧計４の目盛に対応した放射状窒素ガス圧目盛線４１〜４８が設けられ、かつ等温線である曲線状油温度目盛線９１〜９１３が中央目盛線９ＣＬを横切るように設けられている。曲線状油温度目盛線９１〜９１３は、環状プレート９ａの内輪側から外輪側に設けられ、油温度に対する窒素ガス圧値の許容範囲Ａを示している。内輪側外輪側が上部管理限界であり、内輪側が下部管理限界である。
【００３２】
例えば、窒素ガス圧値が指針で示した値（０．００３ｋｇ／ｃｍ２）であるとすると、油温度が４０℃であれば、指針の矢印が示す延長線が、油温度４０℃の曲線状油温度目盛線９５と交差する点Ｐ４が、油温度対窒素ガス圧特性値であり、油温度が４０℃において、０．００３ｋｇ／ｃｍ２  であれば許容範囲Ａ内であることを示しており、もし、窒素ガス圧値が１ｃｍＨｇを下回る場合、油入変圧器が異常であると判断することができる。
【００３３】
上述のように、本発明の油入変圧器管理プレートは、油入変圧器の油温度計又は窒素ガス圧計に装着して、油温度対窒素ガス圧の関係から油入変圧器が管理限界内（許容範囲）であるか否かを判断するに利用することができる。なお、油入変圧器管理プレートは、油入変圧器の油温度計又は窒素ガス圧計に装着することなく、油温度対窒素ガス圧特性を読むことも可能である。
【産業上の利用可能性】
【００３４】
上記記載のように、本考案の活用例は油入変圧器用の管理プレートであり、他への転用することはできないが、油変圧器の絶縁油の寿命を保守管理により延ばすことができるし、油入変圧器の保守管理が容易となる利点があり、このような曲線状の等圧線又は等温線を利用することは２つの変動因子から特性を知る場合に利用することができる。
【図面の簡単な説明】
【００３５】
【図１】本考案に係る油入変圧器管理プレートの一実施形態を油温度計に装着した例を示す平面図である。
【図２】本実施形態の油入変圧器管理プレートを油入変圧器の油温度計に装着した例示する概略平面図である。
【図３】本考案の他の実施形態を示す平面図である。
【図４】本考案の油入変圧器管理プレートの他実施形態を油入変圧器の窒素ガス圧計に装着した例示を示す平面図である。
【図５】従来の油入変圧器の保守管理に用いられる油温度−窒素ガス圧特性曲線図である。
【符号の説明】
【００３６】
１  油変圧器
２  油変圧器本体
３  油温度計
３ａ  目盛板
３ｂ  指針
３ｃ  指針軸
３１〜３１３  曲線状油温度目盛線（曲線状目盛線）
４  窒素ガス圧計
４１〜４８  放射状窒素ガス圧目盛線
４ａ  目盛板
５，８，９  油変圧器管理プレート
５ａ，８ａ，９ａ  円環状プレート
５ｂ，８ｂ，９ｂ  円環状目盛部
５ＣＬ，８ＣＬ，９ＣＬ  中央目盛線
５ｃ  円形開口部
５１〜５６０  放射状目盛線
６  窒素ガス圧目盛
６１〜６１３  曲線状窒素ガス圧目盛線（曲線状目盛線）
７  コンサベータ
９１〜９１３  曲線状油温度目盛線（曲線状目盛線）
１０  色分部
【図１】
0003105135.tif 000003
【図２】
0003105135.tif 000004
【図３】
0003105135.tif 000005
【図４】
0003105135.tif 000006
【図５】
0003105135.tif 000007